(57)【特許請求の範囲】
【請求項１】
硬貨の投入口と、この投入口に連結されるとともに下流に向かって設けられた硬貨の通路と、この通路の側壁に設けられた硬貨の識別センサと、この識別センサに接続された硬貨の識別部と、この識別部に接続された制御部と、前記通路の終端に設けられるとともに投入された硬貨の真偽に基づいて振り分けられる第１のゲートと、この第１のゲートの一方の出口に連結されるとともに偽貨側に振り分けられた硬貨を返却する返却通路と、前記第１のゲートの他方の出口に連結されるとともに真貨側に振り分けられた硬貨が金種毎に振り分けられる第２のゲートと、この第２のゲートの出口に連結されるとともに前記真貨と識別された硬貨が転動する真貨通路と、この真貨通路の出口に連結されたコインチューブと、これらのコインチューブの下部に設けられた硬貨の払い出し部と、投入された硬貨を返却するための外部から操作可能な返却レバーと、前記金種振り分けゲートに連結された真貨通路のうち少なくとも一つの真貨通路に設けられるとともに、この真貨通路に流入した硬貨を一時保留するエスクロ部とを備え、このエスクロ部の下流には前記コインチューブが連結され、前記エスクロ部と前記コインチューブとの間に設けられると共に前記返却通路と前記真貨通路とを切替える第３のゲートと、この第３のゲート下流の真貨通路に設けられるとともに前記コインチューブ側と金庫側とを切替える第４のゲートとを設け、前記エスクロ部には、真貨通路と、この真貨通路上に設けられるとともに、耐摩耗性の優れた材料で形成されたエスクロレバーと、このエスクロレバーに連結されるとともに前記制御部によって制御されるソレノイドを含み、このエスクロレバーには略硬貨の直径の間隔をもって前記真貨通路側へ交互に突出する第１と第２の凸部を設け、前記第１の凸部は硬貨の略中心を係止すると共に、前記第２の凸部は硬貨の上方を係止し、前記返却レバーが操作された場合には、前記制御部からの指令に基づき前記エスクロ部に保留された硬貨を前記返却通路に導く硬貨識別装置において、前記硬貨識別装置は、本体部と、コインチューブと、払い出し部および、前記本体部と着脱自在に設けられた検銭部とから成り、前記検銭部には少なくとも前記制御部と、この制御部に接続されるとともに前記エスクロ部の機能ありとなしとを切替える切替えスイッチと、前記返却レバーと、金種毎に振り分けられる第２のゲートと前記エスクロ部とを設け、前記検銭部の交換のみでエスクロ機能の付加を可能とした硬貨識別装置。
【請求項２】
真貨通路の幅は、流入した硬貨の幅より広くするとともに前記硬貨の幅の２倍より狭くした請求項１に記載の硬貨識別装置。
【請求項３】
エスクロレバーに設けられた凸部の硬貨との当接面は、前記硬貨の外周面に対して傾斜した請求項１に記載の硬貨識別装置。
【請求項４】
エスクロ部の真貨通路の長さは、硬貨の直径の２倍以上とした請求項１に記載の硬貨識別装置。
【請求項５】
返却通路と真貨通路とを切替える第３のゲートは、ノーマル状態で収納側とした請求項１に記載の硬貨識別装置。
【請求項６】
コインチューブ側と金庫側とを切替える第４のゲートは、ノーマル状態で金庫側とした請求項１に記載の硬貨識別装置。
【発明の詳細な説明】
【０００１】
【発明の属する技術分野】
この発明は、自動販売機等に使用される硬貨識別装置に関するものである。
【０００２】
【従来の技術】
以下、従来の硬貨識別装置について説明する。従来の硬貨識別装置は、図８に示すように、硬貨の投入口１と、この投入口１に連結されるとともに下流に向かって設けられた硬貨の通路２と、この通路２の側壁に設けられた硬貨の識別センサ３と、この識別センサ３に接続された硬貨の識別部（図示せず）と、この識別部の出力に接続された制御部（図示せず）と、前記通路２の終端に設けられるとともに投入された硬貨の真偽により振り分けられる第１のゲート４と、この第１のゲート４により真貨側に振り分けられた硬貨が金種毎に振り分けられる振り分け部５と、この振り分け部５の出口毎に各々連結されたコインチューブ（硬貨の収納筒）６と、これらのコインチューブ６の下部に設けられた硬貨の払い出し部７とで構成されていた。
【０００３】
また、振り分け部５は、第１のゲート４で真貨側に振り分けられた硬貨を２種類の金種に振り分ける第２のゲート８と、この第２のゲート８の一方に振り分けられた硬貨を更に２種類の金種に振り分ける第３のゲート９と、前記第２のゲート８の他方に振り分けられた硬貨を更に２種類の金種に振り分ける第４のゲート１０とで構成されていた。そして、金種毎に振り分けられた硬貨は前記コインチューブ６に夫々積層収納され、この積層収納された硬貨は払い出し時において、最下層の硬貨から１枚ずつ払い出し部７から払い出される構成であった。なお、この払い出しには釣銭としての払い出しと、売上金の回収の場合の払い出しとがある。
【０００４】
１１は、返却レバーであり、この返却レバー１１を押下することにより、投入された硬貨と同種の硬貨が返却されるようになっている。
【０００５】
【発明が解決しようとする課題】
しかしながらこのような従来の構成において、投入された硬貨はコインチューブ６に順次上方へと積層収納されるので、既にコインチューブ６内に硬貨が収納されている場合、投入された硬貨は常に最上位に収納されることになる。
【０００６】
この状態で投入した硬貨をすぐに返却操作を行うと、返却される硬貨は最下層の硬貨から、１枚ずつ払い出し部７により払い出しされる。従って、投入された現物硬貨が返却される訳ではなく、投入した現物の硬貨とは異なった同種の硬貨が払い出されることになる。
【０００７】
そこで万一、偽造された硬貨が識別部で真貨と判断された場合、コインチューブ６の最上層に積層収納される。そして次に返却レバー１１により返却させると、最下層に積層収納されている（本物の）硬貨を返却してしまうことになる。この性質を用いて、悪戯をされることがあった。
【０００８】
この発明は、このような問題点を解決するもので、投入された硬貨を返却する場合、投入された現物硬貨そのものを返却する硬貨識別装置を提供することを目的としたものである。
【０００９】
【課題を解決するための手段】
この目的を達成するために本発明の硬貨識別装置は、金種振り分けゲートに連結された真貨通路のうち少なくとも一つの真貨通路には、この真貨通路に流入した硬貨を一時保留するエスクロ部を備え、このエスクロ部の下流には前記コインチューブが連結され、前記エスクロ部と前記コインチューブとの間に設けられると共に前記返却通路と前記真貨通路とを切替える第３のゲートと、この第３のゲート下流の真貨通路に設けられるとともに前記コインチューブ側と金庫側とを切替える第４のゲートとを設け、前記エスクロ部には、真貨通路と、この真貨通路上に設けられるとともに、耐摩耗性の優れた材料で形成されたエスクロレバーと、このエスクロレバーに連結されるとともに前記制御部によって制御されるソレノイドを含み、このエスクロレバーには略硬貨の直径の間隔をもって前記真貨通路側へ交互に突出する第１と第２の凸部を設け、前記第１の凸部は硬貨の略中心を係止すると共に、前記第２の凸部は硬貨の上方を係止し、前記返却レバーが操作された場合には、前記制御部からの指令に基づき前記エスクロ部に保留された硬貨を前記返却通路に導く硬貨識別装置において、前記硬貨識別装置は、本体部と、コインチューブと、払い出し部および、前記本体部と着脱自在に設けられた検銭部とから成り、前記検銭部には少なくとも前記制御部と、この制御部に接続されるとともに前記エスクロ部の機能ありとなしとを切替える切替えスイッチと、前記返却レバーと、金種毎に振り分けられる第２のゲートと前記エスクロ部とを設け、前記検銭部の交換のみでエスクロ機能の付加を可能としたものである。
【００１０】
これにより、偽造硬貨による悪戯を未然に防止することができる。
【００１１】
【発明の実施の形態】
本発明の請求項１記載の発明は、硬貨の投入口と、この投入口に連結されるとともに下流に向かって設けられた硬貨の通路と、この通路の側壁に設けられた硬貨の識別センサと、この識別センサに接続された硬貨の識別部と、この識別部に接続された制御部と、前記通路の終端に設けられるとともに投入された硬貨の真偽に基づいて振り分けられる第１のゲートと、この第１のゲートの一方の出口に連結されるとともに偽貨側に振り分けられた硬貨を返却する返却通路と、前記第１のゲートの他方の出口に連結されるとともに真貨側に振り分けられた硬貨が金種毎に振り分けられる第２のゲートと、この第２のゲートの出口に連結されるとともに前記真貨と識別された硬貨が転動する真貨通路と、この真貨通路の出口に連結されたコインチューブと、これらのコインチューブの下部に設けられた硬貨の払い出し部と、投入された硬貨を返却するための外部から操作可能な返却レバーと、前記金種振り分けゲートに連結された真貨通路のうち少なくとも一つの真貨通路に設けられるとともに、この真貨通路に流入した硬貨を一時保留するエスクロ部とを備え、このエスクロ部の下流には前記コインチューブが連結され、前記エスクロ部と前記コインチューブとの間に設けられると共に前記返却通路と前記真貨通路とを切替える第３のゲートと、この第３のゲート下流の真貨通路に設けられるとともに前記コインチューブ側と金庫側とを切替える第４のゲートとを設け、前記エスクロ部には、真貨通路と、この真貨通路上に設けられるとともに、耐摩耗性の優れた材料で形成されたエスクロレバーと、このエスクロレバーに連結されるとともに前記制御部によって制御されるソレノイドを含み、このエスクロレバーには略硬貨の直径の間隔をもって前記真貨通路側へ交互に突出する第１と第２の凸部を設け、前記第１の凸部は硬貨の略中心を係止すると共に、前記第２の凸部は硬貨の上方を係止し、前記返却レバーが操作された場合には、前記制御部からの指令に基づき前記エスクロ部に保留された硬貨を前記返却通路に導く硬貨識別装置において、前記硬貨識別装置は、本体部と、コインチューブと、払い出し部および、前記本体部と着脱自在に設けられた検銭部とから成り、前記検銭部には少なくとも前記制御部と、この制御部に接続されるとともに前記エスクロ部の機能ありとなしとを切替える切替えスイッチと、前記返却レバーと、金種毎に振り分けられる第２のゲートと前記エスクロ部とを設け、前記検銭部の交換のみでエスクロ機能の付加を可能とした硬貨識別装置であり、投入された硬貨を返却レバーの操作により直ちに返却されたとしても、投入されるとともにエスクロ部に保留された硬貨そのものが返却される。なお、このとき前記第１の凸部は硬貨の略中心を係止すると共に、前記第２の凸部は硬貨の上方を係止するので、硬貨が凸部を乗り越え難くなる。従って、例え偽造硬貨による悪戯があったとしてもそれを未然に防止することができる。
【００１２】
また、先ず第１の凸部で最初の硬貨を停止させ、次に第１の凸部を真貨通路から離脱させて最初の硬貨を流出させるとともに、第２の凸部を真貨通路に突入させて２番目の硬貨を停止させることができる。従って、続いてくる２枚目の硬貨の重なりを防止することができるとともに一枚ずつ確実に返却することができる。
【００１３】
さらに、真貨通路上にエスクロ部を設けているので、硬貨識別装置の薄型化と小型化が可能となる。さらにまた、返却硬貨を効率よく自動販売機の返却口に導くことができる。更に加えてコインチューブ側と金庫側とを（従来のようにオーバーフロー板ではなく）ゲートで切替えるので、釣銭管理が確実に行える。
【００１４】
さらにまた、エスクロ部におけるエスクロ機能は着脱自在な検銭部に設けられているので、検銭部を交換することのみで簡単にエスクロ機能付きの自動販売機にすることができる。このことは、特に屋外に設置された自動販売機に使用する硬貨識別装置に適している。
【００１５】
それに加えて、エスクロレバーは、耐磨耗性の優れた材質で形成されているので、寿命に対する信頼性の点で優れている。また、耐磨耗性を有する材料は一般に硬い材料であるため、このエスクロレバーに硬貨が衝突したときのバウンドが少ない。
【００１６】
請求項２に記載の発明の真貨通路の幅は、流入した硬貨の幅より広くするとともに前記硬貨の幅の２倍より狭くした請求項１に記載の硬貨識別装置であり、このことにより真貨通路上で２枚の硬貨が重なり合うことはなく、硬貨は１枚ずつスムーズに流れる。
【００１７】
請求項３に記載の発明は、硬貨を停止させる凸部の前記硬貨との当接面を、前記硬貨の外周面に対して傾斜させた請求項１に記載の硬貨識別装置であり、当接面は硬貨の外周面に対して傾斜しているので、当接時の衝突力がその傾斜角に応じて分散され衝突における硬貨のバウンドが少なくなる。
【００１８】
請求項４に記載の発明は、エスクロ部の真貨通路の長さを、硬貨の直径の２倍以上とした請求項１に記載の硬貨識別装置であり、高額販売価格設定の商品販売にも対応でき販売機会を失することはない。
【００１９】
請求項５に記載の発明は、返却通路と真貨通路とを切替える第３のゲートは、ノーマル状態で収納側とした請求項１に記載の硬貨識別装置であり、例え第３のゲートが故障したとしても真貨と判定された硬貨が返却通路へ流れることはない。
【００２０】
請求項６に記載の発明は、コインチューブ側と金庫側とを切替える第４のゲートは、ノーマル状態で金庫側とした請求項１に記載の硬貨識別装置であり、例えコインチューブ側が硬貨で一杯になったとしても硬貨は金庫側へ流れるので販売機会を失することはない。
【００２１】
以下、本発明の実施の形態について、図面に基づいて説明する。図１において、本発明の硬貨識別装置は、硬貨の投入口２１と、この投入口２１に連結されるとともに下流に向かって設けられた硬貨の通路２２と、この通路２２の側壁に設けられた硬貨の識別センサ２３と、この識別センサ２３に接続された硬貨の識別部２４（図示せず）と、この識別部２４に接続された制御部２５（図示せず）と、通路２２の終端に設けられるとともに投入された硬貨の真偽により振り分けられるゲート２６と、このゲート２６により偽貨側に振り分けられた硬貨を返却する返却通路２７（図示せず）と、ゲート２６により真貨側に振り分けられた硬貨が金種毎に振り分けられる振り分け部２８と、この振り分け部２８の出口毎に各々連結されたコインチューブ２９と、これらのコインチューブ２９の下部に設けられた硬貨の払い出し部３０とを備えた構成となっている、また、３１は返却レバーであり、この返却レバー３１を操作すると識別センサ２３の発振周波数が特異の周波数となる。この特異の周波数を識別部２４が識別し、この識別結果に基づいて制御部２５からの指令で投入された硬貨が返却される。なお、この返却レバー３１は、投入口２１の近傍に設けられている。また、識別部２４と制御部２５とは一つのマイクロコンピュータ３２で構成されている。
【００２２】
ここで、振り分け部２８について更に詳しく説明する。振り分け部２８は、ゲート２６で真貨側に振り分けられた硬貨を５０円と１００円の組と、１０円と５００円の組の２種類の金種に振り分けるゲート３３と、このゲート３３の一方に振り分けられた硬貨を更に５０円と１００円に振り分けるゲート３４と、前記ゲート３３の他方に振り分けられた硬貨を更に１０円と５００円に振り分けるゲート３５と、このゲート３５で振り分けられた５００円を真貨通路３６上で５００円を一時保留するエスクロレバー３７（真貨通路３６とエスクロレバー３７とでエスクロ部３８を形成している。）と、このエスクロレバー３７の下流に設けられるとともにエスクロレバー３７で、一時保留された硬貨を、返却通路４０（この返却通路４０は前記返却通路２７に連結している。）と収納通路６３へ振り分けるゲート３９と、このゲート３９の下流に設けられるとともに収納通路６３側へ振り分けられた硬貨をコインチューブ２９側４３と、金庫側４４へ振り分けるゲート４２とで構成されている。
【００２３】
また、ゲート３５と前記５００円を一時保留するエスクロレバー３７の間の真貨通路３６の長さは、５００円硬貨の直径の２枚分以上、具体的には５３ｍｍ以上としている。このことにより、５００円硬貨２枚を一時保留することができる。
【００２４】
図２は、硬貨識別装置の斜視図である。図２において、６０は本体部であり、６１はこの本体部６０に着脱自在に設けられた検銭部である。この検銭部６１には少なくとも投入口２１から振り分け部２８及び識別センサ２３、識別部２４、制御部２５が装着されている。
【００２５】
２９は、検銭部６１の下方に連結されて設けられたコインチューブであり、やはり本体部６０に着脱自在に装着されている。
【００２６】
３０は、コインチューブ２９の下方に連結して設けられた払い出し部であり、硬貨の払い出しを行う。
【００２７】
図３は、硬貨識別装置のブロック図である。図３において、２３は識別センサであり、識別部２４を介して制御部２５に接続されている。この識別部２４と制御部２５はマイクロコンピュータ３２で実現している。そしてこの制御部２５には以下のものが接続されている。すなわち、メモリ５０と、切替えスイッチ５７と、ゲート２６に接続されたソレノイド５１と、ゲート３３に接続されたソレノイド５２と、ゲート３４とゲート３５に接続されたソレノイド５３と、ゲート３９に接続されたソレノイド５４と、ゲート４２に接続されたソレノイド５５と、エスクロレバー３７に接続されたソレノイド５６とが接続されている。
【００２８】
なお、エスクロレバー３７の上流側のゲート３５を駆動するソレノイド５３と、下流側のゲート３９または４２を駆動するソレノイドを共用化することもできる。
【００２９】
以上のように構成された硬貨識別装置について、以下にその動作を説明する。投入口２１から投入された硬貨の特徴は識別センサ２３で電気信号に変換され、この電気信号に基づいて識別部２４で真貨と偽貨の識別、また真貨と識別された硬貨はさらにその硬貨の金種が識別される。これらの識別結果に基づいて、次の制御部２５では各ゲート２６，３３，３４，３５，３９，４２を制御する。
【００３０】
また、エスクロレバー３７の制御も行っている。次にこのエスクロレバー３７を含むエスクロ部３８の説明を行う。ゲート２６で真貨側に振り分けられた５００円硬貨６２は、ゲート３３と、ゲート３５で５００円側に振り分けられて、エスクロレバー３７でエスクロ（一時保留）される。
【００３１】
このエスクロレバー３７の制御は、検銭部６１の切替えスイッチ５７を５７ａ側にすることにより実現している。切替えスイッチ５７を５７ｂ側に切替えたものでは検銭部６１はエスクロレバー３７の制御は行われない。このように切替えスイッチ５７によりエスクロ機能付きとエスクロ機能なしとが区別される。この区別は着脱自在な検銭部６１を交換することにより実現できる。
【００３２】
次に、エスクロレバー３７の動作について図４と図５を用いて説明する。図４はソレノイド５６に電力が通電されていない状態、すなわち、待機状態を示している。エスクロレバー３７には、真貨通路３６を遮断する２つの凸部３７ａ，３７ｂを有している。凸部３７ａは待機状態で真貨通路３６を遮断し、凸部３７ｂは真貨通路３６より待機している。
【００３３】
また、ソレノイド５６が通電されて、動作状態になると、図５に示すように、凸部３７ａは真貨通路３６より待避し、逆に凸部３７ｂが真貨通路３６を遮断する構成となっている。ゲート３５で振り分けられた１枚目の５００円硬貨６２ａを凸部３７ａで真貨通路３６上に一時保留させる。２枚目に入金された５００円硬貨６２ｂは、１枚目の５００円硬貨６２ａの後方に連続的に一時保留される。
【００３４】
また、真貨通路３６の通路幅は、５００円硬貨が重ならない寸法にする必要がある。具体的には、５００円硬貨６２の１枚分の厚み１．８ｍｍより厚く、かつ２枚分の厚み３．６ｍｍ未満にする必要がある。
【００３５】
図６は、エスクロ部３８の平面図である。図６において、３６は真貨通路であり、この真貨通路３６内にエスクロレバー３７が設けられている。６２ａ，６２ｂは５００円硬貨であり、この５００円硬貨６２ａの略直径幅の間隔をおいて凸部３７ａと３７ｂとが設けられており、それが交互に真貨通路３６に突入と待避を行い５００円硬貨６２を一時保留するようにしている。なお、５００円硬貨を一般にいうときは６２とし、エスクロ部３８の最初の５００円硬貨を指すときは６２ａとし、二番目の５００円硬貨をいうときは６２ｂとしている。
【００３６】
また、このエスクロレバー３７の凸部３７ａは５００円硬貨６２ａの略中心を係止し、凸部３７ｂは５００円硬貨６２ｂの上方を係止するようにしている。その理由は、例えば下方にすれば５００円硬貨６２ｂがこの凸部３７ｂを乗り越えてしまう可能性があるからである。
【００３７】
また、このエスクロレバー３７の材質には硬いものを使うことが望ましく本実施の形態ではポリアセタール樹脂を用いている。これは、耐磨耗性に優れるとともに５００円硬貨６２の衝突によるバウンドを小さくする効果を有する。
【００３８】
更にこの凸部３７ａ，３７ｂの５００円硬貨６２との当接面は、５００円硬貨６２の外周面に対して略４５度の傾斜を持たせており、衝突時の衝突力を分散しバウンドを小さくしている。
【００３９】
次に図７を用いてエスクロレバー３７からの５００円硬貨６２の排出について説明する。エスクロレバー３７で一時保留された２枚の５００円硬貨６２ａ，６２ｂを、エスクロレバー３７を動作させることにより、凸部３７ａを真貨通路３６より待避させる。すると、１枚目の５００円硬貨６２ａは下流へ排出されると同時に、一体構造となった凸部３７ｂが真貨通路３６を遮断し、２枚目の５００円硬貨６２ｂを凸部３７ｂにより真貨通路３６上で停止させる。
【００４０】
次にエスクロレバー３７を待機状態に戻すことにより、２枚目の５００円硬貨６２ｂは、凸部３７ｂの係止を離れて凸部３７ａで一時保留される。そして、もう一度エスクロレバー３７を動作することにより、２枚目の５００円硬貨６２ｂも下流へ排出される。
【００４１】
以上のような構成とすることにより、１枚ずつ５００円硬貨６２を排出することができるとともに、２枚目の５００円硬貨６２ｂが追いついて重なり、硬貨が詰まることを防止することができる。
【００４２】
エスクロレバー３７より排出された５００円硬貨６２は、ゲート３９で返却通路４０側と、収納通路６３側へ振り分けられる。ここで、返却レバー３１を操作すると、ゲート３９を返却通路４０側へ連結することになり、エスクロレバー３７で一時保留した硬貨をそのまま返却することができる。また、ゲート３９を収納通路６３側へ連結することにより、エスクロレバー３７で一時保留した５００円硬貨６２をコインチューブ２９に収納することができる。
【００４３】
更に、収納通路６３側へ流出した収納した５００円硬貨６２を、ゲート４２にて、コインチューブ２９側４３と金庫側４４へ振り分けることができる。これは、コインチューブ２９に積層収納する硬貨の枚数が設定した枚数に達した場合、金庫側４４へ収納することができるので、コインチューブ２９内の硬貨積層収納枚数の正確な管理が可能となる。
【００４４】
なお、このコインチューブ２９は図面左から順に５００円硬貨６２のチューブ２９ａ、１０円硬貨のチューブ２９ｂ、５０円硬貨のチューブ２９ｃ、１００円硬貨のチューブ２９ｄ、補助チューブ２９ｅとなっている。
【００４５】
【発明の効果】
以上のように本発明によれば、前記金種振り分けゲートに連結された真貨通路のうち少なくとも一つの真貨通路に設けられるとともに、この真貨通路に流入した硬貨を一時保留するエスクロ部を備え、このエスクロ部の下流には前記コインチューブが連結され、前記エスクロ部と前記コインチューブとの間に設けられると共に前記返却通路と前記真貨通路とを切替える第３のゲートと、この第３のゲート下流の真貨通路に設けられるとともに前記コインチューブ側と金庫側とを切替える第４のゲートとを設け、前記エスクロ部には、真貨通路と、この真貨通路上に設けられるとともに、耐摩耗性の優れた材料で形成されたエスクロレバーと、このエスクロレバーに連結されるとともに前記制御部によって制御されるソレノイドを含み、このエスクロレバーには略硬貨の直径の間隔をもって前記真貨通路側へ交互に突出する第１と第２の凸部を設け、前記第１の凸部は硬貨の略中心を係止すると共に、前記第２の凸部は硬貨の上方を係止し、前記返却レバーが操作された場合には、前記制御部からの指令に基づき前記エスクロ部に保留された硬貨を前記返却通路に導く硬貨識別装置において、前記硬貨識別装置は、本体部と、コインチューブと、払い出し部および、前記本体部と着脱自在に設けられた検銭部とから成り、前記検銭部には少なくとも前記制御部と、この制御部に接続されるとともに前記エスクロ部の機能ありとなしとを切替える切替えスイッチと、前記返却レバーと、金種毎に振り分けられる第２のゲートと前記エスクロ部とを設け、前記検銭部の交換のみでエスクロ機能の付加を可能としたものであり、投入された硬貨を返却レバーの操作により直ちに返却されたとしても、エスクロ部に保留された硬貨そのものが返却される。また、このとき前記第１の凸部は硬貨の略中心を係止すると共に、前記第２の凸部は硬貨の上方を係止するので、硬貨が凸部を乗り越え難くなる。従って、例え偽造硬貨による悪戯があったとしてもそれを未然に防止することができる。
【００４６】
また、先ず第１の凸部で最初の硬貨を停止させ、次に第１の凸部を真貨通路から離脱させて最初の硬貨を流出させるとともに、第２の凸部を真貨通路に突入させて２番目の硬貨を停止させることができる。従って、続いてくる２枚目の硬貨の重なりを防止することができるとともに一枚ずつ確実に返却することができる。
【００４７】
さらに、真貨通路上にエスクロ部を設けているので、硬貨識別装置の薄型化と小型化が可能となる。さらにまた、返却硬貨を効率よく自動販売機の返却口に導くことができる。更に加えてコインチューブ側と金庫側とを（従来のようにオーバーフロー板ではなく）ゲートで切替えるので、釣銭管理が確実に行える。
【００４８】
さらにまた、エスクロ部におけるエスクロ機能は着脱自在な検銭部に設けられているので、検銭部を交換することのみで簡単にエスクロ機能付きの自動販売機にすることができる。このことは、特に屋外に設置された自動販売機に使用する硬貨識別装置に適している。
【００４９】
それに加えて、エスクロレバーは、耐磨耗性の優れた材質で形成されているので、寿命に対する信頼性の点で優れている。また、耐磨耗性を有する材料は一般に硬い材料であるため、このエスクロレバーに硬貨が衝突したときのバウンドが少ない。
【図面の簡単な説明】
【図１】  本発明の一実施の形態による硬貨識別装置の正面図
【図２】  同、斜視図
【図３】  同、ブロック図
【図４】  同、エスクロ部近傍の第１の状態を示す断面図
【図５】  同、エスクロ部近傍の第２の状態を示す断面図
【図６】  同、エスクロ部近傍の平面図
【図７】  同、エスクロ部近傍の動作を示す断面図
【図８】  従来の硬貨識別装置の正面図
【符号の説明】
２１  投入口
２２  通路
２３  識別センサ
２４  識別部
２５  制御部
２６  ゲート
２９  コインチューブ
３０  払い出し部
３１  返却レバー
３３  ゲート
３４  ゲート
３５  ゲート
３６  真貨通路
３７  エスクロレバー
３８  エスクロ部
３９  ゲート
４２  ゲート
【図１】
0004215901.tif 000002
【図２】
0004215901.tif 000003
【図３】
0004215901.tif 000004
【図４】
0004215901.tif 000005
【図５】
0004215901.tif 000006
【図６】
0004215901.tif 000007
【図７】
0004215901.tif 000008
【図８】
0004215901.tif 000009